【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
ナビゲーションユニット（４００）であって、
損失性導電媒体（２０３）の上方にある帯電端子（ＴＲ）と、
前記帯電端子（ＴＲ）と前記損失性導電媒体（２０３）との間を結合された受信器ネットワーク（３０６ａ）であって、前記ナビゲーションユニット（４００）の周辺にある前記損失性導電媒体（２０３）の特性に少なくとも部分的に基づくウェーブチルト角（Ψ）であって誘導表面波（５０１ａ、５０１ｂ、および５０１ｃ）に関連付けられたウェーブチルト角（Ψ）と合致する位相遅延（Φ）を有する、受信器ネットワーク（３０６ａ）と、
プロセッサ（４１３）と、
メモリ（４１６）と、
前記メモリ（４１６）に記憶され、前記プロセッサ（４１３）によって実行可能なアプリケーション（４２３）であって、前記プロセッサ（４１３）によって実行されるとき、前記ナビゲーションユニット（４００）に、
前記受信器ネットワークによって前記誘導表面波（５０１ａ、５０１ｂ、および５０１ｃ）が受信された時を識別すること（６０９）と、
前記受信器ネットワークによって前記誘導表面波の反射が受信された時を識別すること（６１３）と、
前記誘導表面波の受信と前記誘導表面波の反射の受信との間の経過時間を計算すること（６１６）と、
前記誘導表面波の受信と前記誘導表面波の反射の受信との間の前記経過時間に少なくとも部分的に基づいて、前記ナビゲーションユニット（４００）の位置を判定すること（６２６）と、
のアクションを少なくとも実行させるアプリケーション（４２３）と、
を備えることを特徴とするナビゲーションユニット（４００）。
【請求項２】
前記誘導表面波の受信と前記誘導表面波の前記反射の受信との間の前記経過時間に少なくとも部分的に基づいて、前記ナビゲーションユニット（４００）に前記ナビゲーションユニット（４００）の位置を判定させることは、前記プロセッサに、少なくとも、
前記時間を二分割し、半分の時間を生成させることと、
前記半分の時間に前記誘導表面波の速度を掛けて、前記誘導表面波に関連付けられたプローブの対蹠地と前記受信器ネットワークとの間の距離を生成させることと、
前記ナビゲーションユニット（４００）の前記位置を、前記対蹠地を中心とする、前記対蹠地と前記ナビゲーションユニット（４００）との間の前記距離に等しい半径を有する円の円周に沿って設定させることと、
を更に含むことを特徴とする請求項１に記載のナビゲーションユニット（４００）。
【請求項３】
前記誘導表面波の受信と前記誘導表面波の前記反射の受信との間の前記経過時間に少なくとも部分的に基づいて、前記ナビゲーションユニット（４００）に前記ナビゲーションユニット（４００）の位置を判定させることは、前記プロセッサに、少なくとも、
前記時間を二分割し、半分の時間を生成させることと、
前記半分の時間に前記誘導表面波の速度を掛けて、前記誘導表面波に関連付けられたプローブの対蹠地と前記受信器ネットワークとの間の距離を生成させることと、
前記対蹠地と前記誘導表面波受信構造との間の前記距離を地球の円周の半分に等しい値から引いて、前記誘導表面波に関連付けられた前記プローブと前記受信器ネットワークとの間の距離を生成させることと、
前記ナビゲーションユニット（４００）の前記位置を、前記プローブを中心とする、前記プローブと前記ナビゲーションユニット（４００）との間の前記距離に等しい半径を有する円の円周に沿って設定させることと、
を更に含むことを特徴とする請求項１に記載のナビゲーションユニット（４００）。
【請求項４】
前記アプリケーションは、前記プロセッサによって実行されるとき、少なくとも、前記ナビゲーションユニット（４００）に、前記ナビゲーションユニット（４００）のメモリに記憶され、かつ前記ナビゲーションユニット（４００）に関連付けられた慣性データに少なくとも部分的に基づいて、前記ナビゲーションユニット（４００）のおおよその位置を更に識別させ、
前記ナビゲーションユニット（４００）に前記誘導表面波受信構造の前記位置を判定させることは、前記ナビゲーションユニット（４００）の前記おおよその位置に更に少なくとも部分的に基づくものであることを特徴とする請求項１乃至３のいずれか一項に記載のナビゲーションユニット（４００）。
【請求項５】
前記アプリケーションは、前記プロセッサによって実行されるとき、前記ナビゲーションユニット（４００）に、前記誘導表面波受信構造の範囲内のセルラーネットワークタワーの識別情報に少なくとも部分的に基づいて、少なくとも、前記誘導表面波受信構造のおおよその位置を更に識別させ、
前記ナビゲーションユニット（４００）に前記誘導表面波受信構造の前記位置を判定させることは、前記誘導表面波受信構造の前記おおよその位置に更に少なくとも部分的に基づくものであることを特徴とする請求項１乃至３のいずれか一項に記載のナビゲーションユニット（４００）。
【請求項６】
前記アプリケーションは、前記プロセッサによって実行されるとき、前記ナビゲーションユニット（４００）に、前記誘導表面波受信構造の範囲内の無線伝送タワーの識別情報に少なくとも部分的に基づいて、少なくとも、前記誘導表面波受信構造のおおよその位置を更に識別させ、
前記ナビゲーションユニット（４００）に前記誘導表面波受信構造の前記位置を判定させることは、前記誘導表面波受信構造の前記おおよその位置に更に少なくとも部分的に基づくものであることを特徴とする請求項１乃至３のいずれか一項に記載のナビゲーションユニット（４００）。
【請求項７】
前記帯電端子は高さ調整可能であり、前記帯電端子の高さを変えることで、前記位相遅延（Φ）が変化することを特徴とする請求項１乃至６のいずれか一項に記載のナビゲーションユニット（４００）。
【請求項８】
誘導表面波受信構造（４０３）を用いて誘導表面波（５０１ａ、５０１ｂ、および５０１ｃ）を受信すること（６０９）と、
前記誘導表面波受信構造を用いて前記誘導表面波の反射を受信すること（６１３）と、
前記誘導表面波の受信と前記誘導表面波の反射の受信との間の経過時間を計算すること（６１６）と、
前記誘導表面波の受信と前記誘導表面波の反射の受信との間の前記経過時間に少なくとも部分的に基づいて、前記誘導表面波受信構造の位置を判定すること（６２６）と、
を含むことを特徴とする方法。
【請求項９】
前記誘導表面波の受信と前記誘導表面波の反射の受信との間の前記経過時間に少なくとも部分的に基づいて前記誘導表面波受信構造の位置を判定することは、
前記時間を二分割し、半分の時間を生成することと、
前記半分の時間に前記誘導表面波の速度を掛けて、前記誘導表面波に関連付けられたプローブの対蹠地と前記誘導表面波受信構造との間の距離を生成することと、
前記誘導表面波受信構造の前記位置を、前記対蹠地を中心とする、前記対蹠地と前記誘導表面波受信構造との間の前記距離に等しい半径を有する円の円周に沿って設定することと、
を更に含むことを特徴とする請求項８に記載の方法。
【請求項１０】
前記誘導表面波の受信と前記誘導表面波の反射の受信との間の前記経過時間に少なくとも部分的に基づいて前記誘導表面波受信構造の位置を判定することは、
前記時間を二分割し、半分の時間を生成することと、
前記半分の時間に前記誘導表面波の速度を掛けて、前記誘導表面波に関連付けられたプローブの対蹠地と前記誘導表面波受信構造との間の距離を生成することと、
前記対蹠地と前記誘導表面波受信構造との間の前記距離を地球の円周の半分に等しい値から引いて、前記誘導表面波に関連付けられた前記プローブと前記誘導表面波受信構造との間の距離を生成することと、
前記誘導表面波受信構造の前記位置を、前記プローブを中心とする、前記プローブと前記誘導表面波受信構造との間の前記距離に等しい半径を有する円の円周に沿って設定することと、
を更に含むことを特徴とする請求項８に記載の方法。
【請求項１１】
前記誘導表面波受信構造に関連付けられた慣性データに少なくとも部分的に基づいて、前記誘導表面波受信構造のおおよその位置を識別することを更に含み、
前記誘導表面波受信構造の前記位置を判定することは、前記誘導表面波受信構造の前記おおよその位置に更に少なくとも部分的に基づくものであることを特徴とする請求項８乃至１０のいずれか一項に記載の方法。
【請求項１２】
前記誘導表面波受信構造の範囲内の無線伝送タワーの識別情報に少なくとも部分的に基づいて、前記誘導表面波受信構造のおおよその位置を識別することを更に含み、
前記誘導表面波受信構造の前記位置を判定することは、前記誘導表面波受信構造の前記おおよその位置に更に少なくとも部分的に基づくものであることを特徴とする請求項８乃至１０のいずれか一項に記載の方法。
【請求項１３】
前記誘導表面波受信構造の範囲内のセルラーネットワークタワーの識別情報に少なくとも部分的に基づいて、前記誘導表面波受信構造のおおよその位置を識別することを更に含み、
前記誘導表面波受信構造の前記位置を判定することは、前記誘導表面波受信構造の前記おおよその位置に更に少なくとも部分的に基づくものであることを特徴とする請求項８乃至１０のいずれか一項に記載の方法。
【請求項１４】
前記誘導表面波は第１の誘導表面波を含み、前記誘導表面波受信構造は第１の誘導表面波受信構造を備え、前記方法は、
第２の誘導表面波受信構造を用いて第２の誘導表面波を受信することと、
前記第２の誘導表面波受信構造を用いて前記第２の誘導表面波の反射を受信することと、
前記第２の誘導表面波の受信と前記第２の誘導表面波の反射の受信との間の経過時間を計算することと、
第３の誘導表面波受信構造を用いて第３の誘導表面波を受信することと、
前記第３の誘導表面波受信構造を用いて前記第３の誘導表面波の反射を受信することと、
前記第３の誘導表面波の受信と前記第３の誘導表面波の反射の受信との間の経過時間を計算することと、
前記誘導表面波受信構造の位置を、前記第２の誘導表面波の受信と前記第２の誘導表面波の反射の受信との間の前記経過時間、及び前記第３の誘導表面波の受信と前記第３の誘導表面波の反射の受信との間の前記経過時間に少なくとも部分的に基づいて判定することと、
を更に含むことを特徴とする請求項８乃至１３のいずれか一項に記載の方法。
【請求項１５】
前記誘導表面波受信構造は、
損失性導電媒体の上方にある帯電端子と、
前記帯電端子と前記損失性導電媒体との間に結合された受信器ネットワークであって、前記帯電端子の周辺にある前記損失性導電媒体の特性に少なくとも部分的に基づくウェーブチルト角（Ψ）であって前記誘導表面波に関連付けられたウェーブチルト角（Ψ）と合致する位相遅延（Φ）を有する、受信器ネットワークと、
を備えることを特徴とする請求項８乃至１４のいずれか一項に記載の方法。
【手続補正２】
【補正対象書類名】明細書
【補正対象項目名】０００１
【補正方法】変更
【補正の内容】
【０００１】
［関連ケースの相互参照］
本出願は、２０１５年９月１０日に出願され「Ｇｅｏｌｏｃａｔｉｏｎ  Ｕｓｉｎｇ  Ｇｕｉｄｅｄ  Ｓｕｒｆａｃｅ  Ｗａｖｅｓ」と題された米国特許出願第１４／８５０，０５１号の優先権及び利益を主張する。
【手続補正３】
【補正対象書類名】明細書
【補正対象項目名】０００２
【補正方法】変更
【補正の内容】
【０００２】
本出願は、２０１３年３月７日に出願され出願番号第１３／７８９，５３８号が付与され、公開番号第２０１４／０２５２８８６（Ａ１）号として２０１４年９月１１日に公開された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属中の米国特許非仮出願に関連する。本出願はまた、２０１３年３月７日に出願され出願番号第１３／７８９，５２５号が付与され、公開番号第２０１４／０２５２８６５（Ａ１）号として２０１４年９月１１日に公開された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属中の米国特許非仮出願に関連する。本出願は更に、２０１４年９月１０日に出願され出願番号第１４／４８３，０８９号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属中の米国特許非仮出願に関連する。本出願は、２０１５年６月２日に出願され出願番号第１４／７２８，５０７号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅｓ」と題された同時係属中の米国特許非仮出願に更に関連する。本出願は、２０１５年６月２日に出願され出願番号第１４／７２８，４９２号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅｓ」と題された同時係属中の米国特許非仮出願に更に関連する。
【手続補正４】
【補正対象書類名】明細書
【補正対象項目名】００３９
【補正方法】変更
【補正の内容】
【００３９】
誘導波及び放射伝搬それぞれに対する曲線１０３及び１０６の形状が興味深い。放射電界強度曲線１０６は、幾何級数的に低下（１／ｄ、式中ｄは距離である）し、これは、両対数目盛上で直線として示されている。一方、誘導電界強度曲線１０３は、
2018530753.tif 000001
の特徴的な指数関数的減衰を有し、両対数目盛上で独特の屈曲部１０９を呈する。誘導電界強度曲線１０３及び放射電界強度曲線１０６は、点１１２で交差し、これは交差距離で発生する。交差点１１２での交差距離未満の距離で、誘導電磁界の電界強度は、放射電磁界の電界強度より、大部分の位置で著しく大きい。交差距離より大きな距離では、その反対となる。したがって、誘導電界強度曲線及び放射電界強度曲線１０３及び１０６は、誘導電磁界と放射電磁界との間の根本的な伝搬の差異を更に示している。誘導電磁界と放射電磁界との間の差異の非公式な説明のために、Ｍｉｌｌｉｇａｎ，Ｔ．のＭｏｄｅｒｎ  Ａｎｔｅｎｎａ  Ｄｅｓｉｇｎ（ＭｃＧｒａｗ−Ｈｉｌｌ，１ｓｔ  Ｅｄｉｔｉｏｎ，１９８５，８〜９ページ）が参照される。
【手続補正５】
【補正対象書類名】明細書
【補正対象項目名】００４１
【補正方法】変更
【補正の内容】
【００４１】
空の空間において、波動方程式は、固有関数が複素波数平面上で固有値の連続スペクトルを保有する微分演算子である。この横電磁（transverse electro-magnetic）（ＴＥＭ）界は、放射電磁界と呼ばれ、それらの伝搬電界は、「ヘルツ波」と呼ばれる。しかし、導電境界の存在において、波動方程式に境界条件を加えると、数学的に、連続スペクトルに加えて離散スペクトルの合計からなる波数のスペクトル表現となる。このために、Ｓｏｍｍｅｒｆｅｌｄ，Ａ．の「Ｕｂｅｒ  ｄｉｅ  Ａｕｓｂｒｅｉｔｕｎｇ  ｄｅｒ  Ｗｅｌｌｅｎ  ｉｎ  ｄｅｒ  Ｄｒａｈｔｌｏｓｅｎ  Ｔｅｌｅｇｒａｐｈｉｅ」（Ａｎｎａｌｅｎ  ｄｅｒ  Ｐｈｙｓｉｋ，Ｖｏｌ．２８，１９０９，６６５〜７３６ページ）を参照する。また、「Ｐａｒｔｉａｌ  Ｄｉｆｆｅｒｅｎｔｉａｌ  Ｅｑｕａｔｉｏｎｓ  ｉｎ  Ｐｈｙｓｉｃｓ−Ｌｅｃｔｕｒｅｓ  ｏｎ  Ｔｈｅｏｒｅｔｉｃａｌ  Ｐｈｙｓｉｃｓ：Ｖｏｌｕｍｅ  ＶＩ」（Ａｃａｄｅｍｉｃ  Ｐｒｅｓｓ，１９４９，２３６〜２８９ページ，２９５〜２９６ページ）の第６章として刊行されたＳｏｍｍｅｒｆｅｌｄ，Ａ．の「Ｐｒｏｂｌｅｍｓ  ｏｆ  Ｒａｄｉｏ」、Ｃｏｌｌｉｎ、Ｒ．Ｅ．の「Ｈｅｒｔｚｉａｎ  Ｄｉｐｏｌｅ  Ｒａｄｉａｔｉｎｇ  Ｏｖｅｒ  ａ  Ｌｏｓｓｙ  Ｅａｒｔｈ  ｏｒ  Ｓｅａ：Ｓｏｍｅ  Ｅａｒｌｙ  ａｎｄ  Ｌａｔｅ  ２０ｔｈ  Ｃｅｎｔｕｒｙ  Ｃｏｎｔｒｏｖｅｒｓｉｅｓ」（ＩＥＥＥ  Ａｎｔｅｎｎａｓ  ａｎｄ  Ｐｒｏｐａｇａｔｉｏｎ  Ｍａｇａｚｉｎｅ，Ｖｏｌ．４６，Ｎｏ．２，Ａｐｒｉｌ  ２００４，６４〜７９ページ）、並びにＲｅｉｃｈ，Ｈ．Ｊ．、Ｏｒｄｎｕｎｇ，Ｐ．Ｆ、Ｋｒａｕｓｓ，Ｈ．Ｌ．及びＳｋａｌｎｉｋ，Ｊ．Ｇ．の「Ｍｉｃｒｏｗａｖｅ  Ｔｈｅｏｒｙ  ａｎｄ  Ｔｅｃｈｎｉｑｕｅｓ」（Ｖａｎ  Ｎｏｓｔｒａｎｄ，１９５３，２９１〜２９３ページ）を参照されたい。
【手続補正６】
【補正対象書類名】明細書
【補正対象項目名】００８５
【補正方法】変更
【補正の内容】
【００８５】
ヘリカル巻線コイルの位相遅延θｃは、Ｃｏｒｕｍ，Ｋ．Ｌ．及びＪ．Ｆ．Ｃｏｒｕｍの「ＲＦ  Ｃｏｉｌｓ，Ｈｅｌｉｃａｌ  Ｒｅｓｏｎａｔｏｒｓ  ａｎｄ  Ｖｏｌｔａｇｅ  Ｍａｇｎｉｆｉｃａｔｉｏｎ  ｂｙ  Ｃｏｈｅｒｅｎｔ  Ｓｐａｔｉａｌ  Ｍｏｄｅｓ」（Ｍｉｃｒｏｗａｖｅ  Ｒｅｖｉｅｗ，Ｖｏｌ．７，Ｎｏ．２，Ｓｅｐｔｅｍｂｅｒ  ２００１，３６〜４５ページ）により説明されているように、マクスウェル方程式から決定することができる。Ｈ／Ｄ＞１のヘリカルコイルに対して、コイルの縦軸に沿った波動の伝搬速度（υ）と光速（ｃ）の比、又は「速度係数」は、以下の式により得られる。
2018530753.tif 000002
式中、Ｈは、ソレノイドコイルの軸方向長さであり、Ｄは、コイル直径であり、Ｎは、コイルの巻数であり、ｓ＝Ｈ／Ｎは、コイルの巻線間隔（又はらせんピッチ）であり、λｏは、自由空間の波長である。この関係に基づいて、ヘリカルコイルの電気長又は位相遅延は、以下の式により得られる。
2018530753.tif 000003
らせんがらせん状に巻かれている、又は短くかつ太い場合、原理は同じであるが、Ｖｆ及びθｃは、試験的測定により得る方がより容易である。ヘリカル伝送線の特性（波動）インピーダンスに対する表現もまた、以下の式のように導出されている。
2018530753.tif 000004
【手続補正７】
【補正対象書類名】明細書
【補正対象項目名】００９０
【補正方法】変更
【補正の内容】
【００９０】
この解析はまた、誘導表面導波プローブ２００の下の実効影像電荷Ｑ１'の存在を仮定することにより、損失性導電媒体２０３に対しても使用することができる。実効影像電荷Ｑ１'は、図３に示すように、導電性影像グラウンド平面１３０回りに帯電端子Ｔ１上の電荷Ｑ１と同時に発生する。しかし、影像電荷Ｑ１'は、完全導体の場合になるように、単になんらかの実数の深さに配置され、かつ帯電端子Ｔ１上の一次ソース電荷Ｑ１と１８０°位相がずれているのではない。むしろ、損失性導電媒体２０３（例えば、テレストリアル媒体）は、位相シフトした影像を提示する。すなわち、影像電荷Ｑ１'は、損失性導電媒体２０３の表面（又は物理的境界）の下の複素深さにある。複素像深さの説明のために、Ｗａｉｔ，Ｊ．Ｒ．の「Ｃｏｍｐｌｅｘ  Ｉｍａｇｅ  Ｔｈｅｏｒｙ−Ｒｅｖｉｓｉｔｅｄ」（ＩＥＥＥ  Ａｎｔｅｎｎａｓ  ａｎｄ  Ｐｒｏｐａｇａｔｉｏｎ  Ｍａｇａｚｉｎｅ，Ｖｏｌ．３３，Ｎｏ．４，Ａｕｇｕｓｔ  １９９１，２７〜２９ページ）を参照する。
【手続補正８】
【補正対象書類名】明細書
【補正対象項目名】０２０７
【補正方法】変更
【補正の内容】
【０２０７】
図２２に移って、マルチラテレーションアプリケーション４２３（図２１）によるナビゲーションユニット４００（図２１）の位置の判定についての図式的な表現が示される。ここで、３つの地上局５００が、それぞれの誘導表面導波プローブＰを使ってそれぞれ誘導表面波５０１ａ、５０１ｂ、および５０１ｃを送出する。一実施形態によれば、それぞれの誘導表面波は、異なる周波数で伝送される。あるいは、それぞれの誘導表面波５０１ａ、５０１ｂ、および５０１ｃは、同一周波数だが、干渉を回避するように時間オフセットで伝送されてもよい。ナビゲーションユニット４００がそれぞれの誘導表面波５０１ａ、５０１ｂ、および５０１ｃを受信し、その後、それぞれの地上局５００に対して対蹠地から反射された、対応する反射誘導表面波を受信する。マルチラテレーションアプリケーション４２３は、それぞれの誘導表面波５０１ａ、５０１ｂ、および５０１ｃが受信された時と対応する反射誘導表面波が受信された時との間の経過時間を計算することができる。
【手続補正９】
【補正対象書類名】明細書
【補正対象項目名】０２０８
【補正方法】変更
【補正の内容】
【０２０８】
マルチラテレーションアプリケーション４２３は、この時間を使用して、それぞれの誘導表面波５０１ａ、５０１ｂ、および５０１ｃについて、対蹠地からナビゲーションユニット４００までの距離、及びナビゲーションユニット４００からそれぞれの地上局５００までの対応する距離を判定することができる。マルチラテレーションアプリケーション４２３は、次に、地上局５００からナビゲーションユニット４００までの距離に等しい半径を有する各地上局５００の周りの円５０３の円周を計算することができる。地上局５００の周りの円５０３の円周が交差する点は、ナビゲーションユニット４００の現在の位置に対応付けられるであろう。同様に、マルチラテレーションアプリケーション４２３は、対蹠地からナビゲーションユニット４００までの距離に等しい半径を有する各対蹠地の周りの円周を計算することができる。対蹠地の周りの円周が交差する点は、ナビゲーションユニット４００の現在の位置に対応付けられるであろう。いくつかの実施形態では、円５０３は完全な円に対応しない場合があることに留意されたい。その代わりに、円５０３は、実質的に円形である形状を表すことができる。
【手続補正１０】
【補正対象書類名】明細書
【補正対象項目名】０２５１
【補正方法】削除
【補正の内容】
【手続補正１１】
【補正対象書類名】図面
【補正対象項目名】図２２
【補正方法】変更
【補正の内容】
【図２２】
2018530753.tif 000005